(57)【特許請求の範囲】
【請求項１】
六面体からなる形状をしている電池を収納する、包装された形状が六面体をなし、上面は４つの側面に連接された４つの蓋板で閉塞される構造の電池用包装箱であって、
前記電池の対向する両側面に対応する両側面にそれぞれ破断可能なミシン目が、両側面の上部両隅から該側面の中央側に向かって傾斜状に設けられ、前記両側面の上下方向に沿った前記ミシン目の長さは該側面の上下長さの２分の１以上で且つ該側面の上下長さ以下であることを特徴とする電池用包装箱。
【請求項２】
六面体からなる形状をしている電池を収納する、包装された形状が六面体をなし、上面は４つの側面に連接された４つの蓋板で閉塞される構造の電池用包装箱であって、
前記電池の対向する両側面に対応する両側面にそれぞれ破断可能なミシン目が、両側面の上部両隅から該側面の中央側に向かって傾斜状に設けられ、前記両側面の上下方向に沿った前記ミシン目の長さは該側面の上下長さの２分の１以下であり、前記ミシン目を入れた前記側面につながる前記蓋板は前記ミシン目を破断して前記ミシン目間の前記側面を下向きに折り返したとき該蓋板の面が前記包装箱を支える面上でこれに対向する状態になる長さを有していることを特徴とする電池用包装箱。
【請求項３】
前記各側面の上部両隅から該側面の中央側に向って傾斜状に設けられた前記各ミシン目の先端にこれらを水平につなぐ折り目が設けられていることと特徴とする請求項１または２に記載の電池用包装箱。
【発明の詳細な説明】
【０００１】
【発明の属する技術分野】
本発明は、自動車用鉛蓄電池等の電池を保護するために用いる電池用包装箱に関するものである。
【０００２】
【従来の技術】
従来の自動車用鉛蓄電池等の電池用包装箱は、段ボール製であった。この電池用包装箱の中から電池を取り出すため、従来は、この電池用包装箱を破るか、または側面の縦方向に設けた切り込みに沿って外側に開くか、または周囲に設けたテープを引く等の構造となっていた。
【０００３】
【発明が解決しようとする課題】
しかしながら、側面の縦方向に設けた切り込みに沿って外側に開く構造を有する従来の電池用包装箱では、該包装箱を積み重ねると、切り込みのために該包装箱が変形するという問題があった。
【０００４】
また、周辺に設けたテープを引く構造の電池用包装箱では、該包装箱の周辺にテープを引くための空間が必要であり、倉庫等の狭い空間では電池を取り出し難いという問題があった。
【０００５】
また、側面に破断可能なミシン目を有した包装箱の場合、電池の取り出し時にこの包装箱も同時に持ち上がり、電池を取出し難いという問題があった。
【０００６】
本発明の目的は、積み重ねても変形せず、且つ狭い空間でも電池の取り出しを容易に行える電池用包装箱を提供することにある。
【０００７】
本発明の他の目的は、電池の取り出し時にこの包装箱も一緒に持ち上がるのを防止できる電池用包装箱を提供することにある。
【０００８】
【課題を解決するための手段】
本発明は、六面体からなる形状をしている電池を収納する、包装された形状が六面体をなし、上面は４つの側面に連接された４つの蓋板で閉塞される構造の電池用包装箱を改良するものである。
【００１０】
本発明に係る電池用包装箱では、電池の対向する両側面に対応する両側面にそれぞれ破断可能なミシン目が、両側面の上部両隅から該側面の中央側に向かって傾斜状に設けられ、両側面の上下方向に沿ったミシン目の長さは該側面の上下長さの２分の１以上で且つ該側面の上下長さ以下であることを特徴とする。
【００１１】
このような電池用包装箱では、上蓋を開き、両側面の上部両隅から該側面の中央側に向かって傾斜状に設けられているミシン目に沿って切り開いて、その切り開かれた部分を外側に倒すと、電池の両側面がそれぞれ露出されると共に両蓋板の面が包装箱を支える面上でこれに対向する状態になるので、これら蓋板の上に作業者の両足を載せ、露出した電池の両側面に指先をかけて該電池を容易に取り出すことができる。この際には、電池を持ち上げても包装箱が一緒に持ち上がることがなく、容易に電池の取り出しを行うことができる。また、この電池用包装箱は、積み重ねても変形せず、且つ狭い空間でも電池の取り出しを容易に行うことができる。
【００１２】
また本発明に係る電池用包装箱では、電池の対向する両側面に対応する両側面にそれぞれ破断可能なミシン目が、両側面の上部両隅から該側面の中央側に向かって傾斜状に設けられ、両側面の上下方向に沿ったミシン目の長さは側面の上下長さの２分の１以下であり、ミシン目を入れた側面につながる蓋板はミシン目を破断してミシン目間の側面を下向きに折り返したとき該蓋板の面が包装箱を支える面上でこれに対向する状態になる長さを有していることを特徴とする。
【００１３】
このような電池用包装箱でも、電池を持ち上げても包装箱が一緒に持ち上がることがなく、容易に電池の取り出しを行うことができる。また、この電池用包装箱でも、積み重ねても変形せず、且つ狭い空間でも電池の取り出しを容易に行うことができる。
【００１４】
これらの場合、各側面の上部両隅から該側面の中央側に向かって傾斜状に設けられた各ミシン目の先端にこれらを水平につなぐ折り目が設けられていることが好ましい。このようになっていると、ミシン目に沿って切り開かれた部分を外側に倒す作業を容易に行うことができる。
【００１５】
【発明の実施の形態】
図１乃至図５は本発明に係る電池用包装箱とこれに収容される電池の参考構成例を示したもので、図１は本例の電池用包装箱で電池を収納した状態の斜視図、図２は収容される電池の斜視図、図３は本例の電池用包装箱でミシン目を有する側面の内面図、図４は本例の電池用包装箱でミシン目を有する側面に貼り付けられているのりしろ部をミシン目に沿って除去した状態を示した内面図、図５は図１に示す電池用包装箱を開いた状態を示す斜視図である。
【００１６】
図１に示した電池用包装箱１は、図２に示すように六面体からなる形状を有していて対向する両側面２に指先が掛けられる凹陥部３がそれぞれ設けられている電池４を収納するためのものであって、包装された形状が六面体をなしている。
【００１７】
この電池用包装箱１は、電池４の両凹陥部３に対応する両側面５にそれぞれ破断可能なミシン目６が、両側面５の上部両隅から該側面５の中央側に向かって傾斜状に設けられている。このように両側面５の上部両隅から該側面５の中央側に向かって傾斜状に設けられた各ミシン目６の先端には、これらを水平につなぐ折り目７がそれぞれ設けられている。
【００１８】
また、この電池用包装箱１では、両側面５の稜線部８で隣り合う側面５，９同士を貼り合わせているのりしろ部１０は、ミシン目６に沿って破断される部分１０ａが図３に示すように貼り合わされていないか、或いは図４に示すようにのりしろ部１０はミシン目に沿って除去されている。
【００１９】
さらに、この電池用包装箱１は、図５に示すような開口部１１の側で、ミシン目６を有する両側面５に蓋板１２が連接されている。これら蓋板１２には、スリット１３が形成されている。また、この電池用包装箱１には、ミシン目６を有する両側面５とは90°異なる側面に蓋板１４が連接されている。これら蓋板１４には、突片１５が突設されている。この電池用包装箱１は、先に蓋板１２で蓋をした後、蓋板１４を被せ、各突片１５をスリット１３に差し込むことにより図１に示す形状になり包装が完了する。
【００２０】
この電池用包装箱１から電池４を取り出す際には、図５に示すように蓋板１４，１２をあけ、かかる状態でミシン目６に添って両側面５を切り裂き、その切り開いた部分を図示のように外側に倒すと、電池４の両側面２の上部も露出され、これに伴い両凹陥部３がそれぞれ露出される。この状態になると、凹陥部３に指先をかけて電池４を容易に外に取り出すことができる。この電池用包装箱１では、積み重ねても変形せず、且つ狭い空間でも電池４の取り出しを容易に行うことができる。
【００２１】
この場合、両側面５の稜線部８で隣り合う側面５，９同士を貼り合わせているのりしろ部１０が、ミシン目６に沿って破断される部分を貼り合わせていないと、ミシン目６に沿って切り開いて、その切り開かれた部分を外側に倒す作業を支障なく行うことができる。また、のりしろ部１０がミシン目６に沿って除去されていると、ミシン目６に沿って切り開く際にのりしろ部１０が邪魔にならないことになる。
【００２２】
さらに、各側面５の上部両隅から該側面５の中央側に向かって傾斜状に設けられた各ミシン目６の先端に、これらを水平につなぐ折り目７が設けられていると、ミシン目６に沿って切り開かれた部分を外側に倒す作業を容易に行うことができる。
【００２３】
上記の如き電池用包装箱１は、電池４の対向する両側面２に指先が掛けられる凹陥部３がそれぞれ設けられているタイプの電池４の包装箱の例として説明したが、包装される電池４はこれに限定されるものではなく、両側面２に凹陥部３が設けられていないタイプの電池４の包装箱としても使用することができる。
【００２４】
図６及び図７（Ａ）〜（Ｃ）は本発明に係る電池用包装箱１の実施の形態の第１例を示したもので、図６は本例の電池用包装箱を開いた状態を示す斜視図、図７（Ａ）〜（Ｃ）は本例の電池用包装箱から電池を取り出す作業を示す説明図である。なお、前述した参考構成例と対応する部分には、同一符号を付けて示している。
【００２５】
この第１例では、電池４はその両側面２の上部に凹陥部３が設けられていない例で示しているが、凹陥部３が設けられている電池４にもこの電池用包装箱が使用できることは勿論である。
【００２６】
本例の電池用包装箱１では、電池２の対向する両側面２に対応する両側面５にそれぞれ破断可能なミシン目６が、両側面５の上部両隅から該側面５の中央側に向かって傾斜状に設けられ、両側面５の上下方向に沿ったミシン目６の長さＭは該側面５の上下長さＬの２分の１以上で且つ該側面５の上下長さＬ以下である。
【００２７】
このような電池用包装箱１では、図６に示すように上蓋１２，１４を開き、両側面５の上部両隅から該側面５の中央側に向かって傾斜状に設けられているミシン目６に沿って両側面５を図６及び図７（Ａ）に示すように作業者１６の両手１７で切り開いて、その切り開かれた部分を外側に倒すと、図６に示すように電池４の両側面２がそれぞれ露出されると共に両蓋板１２の面が包装箱１を支える面１８上でこれに対向する状態になるので、図７（Ｂ）に示すようにこれら蓋板１２の上に作業者１６の両足１９を載せ、図７（Ｃ）に示すように露出した電池４の両側面２に作業者１６の両手１７の指先をかけて該電池４を引き出すと、該電池４を容易に包装箱１の外に取り出すことができる。
【００２８】
図８は本発明に係る電池用包装箱１の実施の形態の第２例を示したもので、同図は本例の電池用包装箱を開いた状態を示す斜視図である。なお、前述した第１例と対応する部分には、同一符号を付けて示している。この第２例でも、電池４はその両側面２の上部に凹陥部３が設けられていない例で示しているが、凹陥部３が設けられている電池４にもこの電池用包装箱が使用できることは勿論である。
【００２９】
本例の電池用包装箱１では、電池４の対向する両側面２に対応する両側面５にそれぞれ破断可能なミシン目６が、両側面５の上部両隅から該側面５の中央側に向かって傾斜状に設けられ、両側面５の上下方向に沿ったミシン目６の長さＭは該側面５の上下長さＬの２分の１以下であり、ミシン目６を入れた側面６につながる蓋板１２はミシン目６を破断してミシン目６間の側面５を下向きに折り返したとき該蓋板１２の面が包装箱１を支える面１８上でこれに対向する状態になる長さを有している。
【００３０】
このような電池用包装箱１でも、前述した図７（Ｃ）と同様に両蓋板１２の上に作業者１６の両足１９を載せ、露出した電池４の両側面２に作業者１６の両手１７の指先をかけて該電池４を引き出すと、該電池４を容易に包装箱１の外に取り出すことができる。また、この電池用包装箱１は、積み重ねても変形せず、且つ狭い空間でも電池４の取り出しを容易に行うことができる。
【００３１】
【発明の効果】
【００３２】
本発明に係る電池用包装箱では、上蓋を開き、両側面の上部両隅から該側面の中央側に向かって傾斜状に設けられているミシン目に沿って切り開いて、その切り開かれた部分を外側に倒すと、電池の両側面がそれぞれ露出されると共に両蓋板の面が包装箱を支える面上でこれに対向する状態になるので、これら蓋板の上に作業者の両足を載せ、露出した電池の両側面に指先をかけて該電池を容易に取り出すことができる。この際、電池を持ち上げても包装箱が一緒に持ち上がることがないので、容易に電池の取り出しを行うことができる。また、この電池用包装箱は、積み重ねても変形せず、且つ狭い空間でも電池の取り出しを容易に行うことができる。
【００３３】
本発明において、各側面の上部両隅から該側面の中央側に向かって傾斜状に設けられた各ミシン目の先端にこれらを水平につなぐ折り目を設けた場合には、ミシン目に沿って切り開かれた部分を外側に倒す作業を容易に行うことができる。
【図面の簡単な説明】
【図１】  本発明に係る電池用包装箱の参考構成例の電池を収納した状態での斜視図である。
【図２】  図１の電池用包装箱に収容される電池の一例を示す斜視図である。
【図３】  本例の電池用包装箱でミシン目を有する側面の内面図である。
【図４】  本例の電池用包装箱でミシン目を有する側面に貼り付けられているのりしろ部をミシン目に沿って除去した状態を示す内面図である。
【図５】  図１に示す電池用包装箱を開いた状態を示す斜視図である。
【図６】  本発明の実施の形態の第１例に関わる電池用包装箱を開いた状態を示した斜視図である。
【図７】  （Ａ）〜（Ｃ）は図６に示した第１例の電池用包装箱から電池を取り出す課程を示す説明図である。
【図８】  本発明の実施の形態の第２例に関わる電池用包装箱を開いた状態を示す斜視図である。
【符号の説明】
１  電池用包装箱
２  両側面
３  凹陥部
４  電池
５  両側面
６  ミシン目
７  折り目
８  稜線部
９  側面
１０  のりしろ部
１０ａ  破断される部分
１１  開口部
１２  蓋板
１３  スリット
１４  蓋板
１５  突片
１６  作業者
１７  両手
１８  包装箱を支える面
１９  両足
【図１】
0004186444.tif 000002
【図２】
0004186444.tif 000003
【図３】
0004186444.tif 000004
【図４】
0004186444.tif 000005
【図５】
0004186444.tif 000006
【図６】
0004186444.tif 000007
【図７】
0004186444.tif 000008
【図８】
0004186444.tif 000009